(57)【要約】【課題】発信者側の操作により、着信音を鳴動させることなく、着信者側の移動機端末をマナーモードにて着信させる。【解決手段】本発明の移動通信ネットワークシステムは、通常発信信号とマナーモード用発信信号とを送出する機能を備える発信側の移動機端末１と、移動機端末１から通常発信信号を受信した場合は通常着信信号を送出し、移動機端末１からマナーモード用発信信号を受信した場合はマナーモード用着信信号を送出する機能を備える交換機３と、交換機３から通常着信信号を受信した場合は通常に着信を行い、交換機３からマナーモード用着信信号を受信した場合はマナーモードにて着信を行う機能を備える着信側の移動機端末２とを有する。【選択図】      図１
2004357009.tif 000002
【特許請求の範囲】
【請求項１】
通常発信信号とマナーモード用発信信号とを送出する機能を備える発信側移動機端末と、
前記発信側移動機端末から前記通常発信信号を受信した場合は通常着信信号を送出し、前記発信側移動機端末から前記マナーモード用発信信号を受信した場合はマナーモード用着信信号を送出する機能を備える交換機と、
前記交換機から前記通常着信信号を受信した場合は通常に着信を行い、前記交換機から前記マナーモード用着信信号を受信した場合はマナーモードにて着信を行う機能を備える着信側移動機端末とを有することを特徴とする移動通信ネットワークシステム。
【請求項２】
前記発信側移動機端末は、発信者の予め決められた操作に応じて、前記通常発信信号と前記マナーモード用発信信号とを送出する、請求項１に記載の移動通信ネットワークシステム。
【請求項３】
前記発信者の予め決められた操作とは、前記発信者の発信時のキー操作である、請求項２に記載の移動通信ネットワークシステム。
【請求項４】
通常発信信号とマナーモード用発信信号とを送出する機能を備える発信側固定電話と、
前記発信側固定電話から前記通常発信信号を受信した場合は通常着信信号を送出し、前記発信側固定電話から前記マナーモード用発信信号を受信した場合はマナーモード用着信信号を送出する機能を備える交換機と、
前記交換機から前記通常着信信号を受信した場合は通常に着信を行い、前記交換機から前記マナーモード用着信信号を受信した場合はマナーモードにて着信を行う機能を備える着信側移動機端末とを有することを特徴とする移動通信ネットワークシステム。
【請求項５】
前記発信側固定電話は、発信者の予め決められた操作に応じて、前記通常発信信号と前記マナーモード用発信信号とを送出する、請求項４に記載の移動通信ネットワークシステム。
【請求項６】
前記発信者の予め決められた操作とは、前記発信者の発信時のキー操作である、請求項５に記載の移動通信ネットワークシステム。
【発明の詳細な説明】
【０００１】
【発明の属する技術分野】
本発明は、携帯電話等の移動機端末に適用される移動通信ネットワークシステムに関する。
【０００２】
【従来の技術】
従来、移動通信ネットワークシステムでは、発信者側から着信者側の携帯電話の設定を変更するための技術が多数開示されており、その一例として、特許文献１に開示された技術が挙げられる。
【０００３】
この特許文献１に開示された技術においては、発信者は、携帯電話をマナーモードに設定している着信者、または携帯電話の着信音量を小さく設定している着信者に着信を気付かせるために、着信者側の携帯電話宛にダイアルし呼出音が聞こえた後に所定の操作を行うことにより、着信音を鳴動させたり、着信音量を大きくしたりして着信者に着信を報知している。
【０００４】
【特許文献１】
特開２０００−２４４６１０号公報
【０００５】
【発明が解決しようとする課題】
上述したように、特許文献１に開示された従来技術においては、発信者側の操作により、マナーモードに設定している着信者側の携帯電話を、着信音を鳴動させる等の設定にして着信させることは可能である。しかしながら、これとは逆に、発信者側の操作により、着信音を鳴動させる設定になっている着信者側の携帯電話を、マナーモードにて着信させることはできなかった。
【０００６】
また、特許文献１に開示された従来技術においては、発信者は、着信側の携帯電話にダイアルし呼出音が聞こえた後の操作のみしかできないため、この技術を応用して着信側の携帯電話をマナーモードにて着信させることができたとしても、短時間ではあるが着信音を鳴動させることになってしまう。
【０００７】
そこで、本発明の目的は、発信者側の操作により、着信音を鳴動させることなく、着信者側の携帯電話等の移動機端末をマナーモードにて着信させることができる移動通信ネットワークシステムを提供することにある。
【０００８】
【課題を解決するための手段】
上記目的を達成するために本発明の移動通信ネットワークシステムは、通常発信信号とマナーモード用発信信号とを送出する機能を備える発信側移動機端末と、発信側移動機端末から通常発信信号を受信した場合は通常着信信号を送出し、発信側移動機端末からマナーモード用発信信号を受信した場合はマナーモード用着信信号を送出する機能を備える交換機と、交換機から通常着信信号を受信した場合は通常に着信を行い、交換機からマナーモード用着信信号を受信した場合はマナーモードにて着信を行う機能を備える着信側移動機端末とを有することを特徴とする。
【０００９】
したがって、発信側移動機端末を使用する発信者は、着信者が着信音を鳴動させたくない場所にいることがわかっている場合に、着信側移動機端末がマナーモードに設定されていなくても、マナーモードにて着信させることが可能となる。
【００１０】
なお、発信側移動機端末は、発信者の予め決められた操作に応じて、通常発信信号とマナーモード用発信信号とを送出することとしても良い。例えば、発信者の予め決められた操作としては、発信者の発信時のキー操作が挙げられる。また、発信側の端末として、移動機端末の代わりに、固定電話を用いることとしても良い。
【００１１】
【発明の実施の形態】
以下に、本発明の実施の形態について図面を参照して説明する。
【００１２】
図１を参照すると、本発明の一実施形態による移動通信ネットワークシステムが示されている。この移動通信ネットワークシステムは、発信側の移動機端末１と、着信側の移動機端末２と、交換機３と、これらを相互に接続する交換ネットワーク４とを有している。
【００１３】
発信側の移動機端末１は、発信者の予め決められた操作に応じて、通常発信信号とマナーモード用発信信号とを送出する機能を備える。なお、発信者の予め決められた操作とは、発信者の発信時のキー操作（例えば、着信側の移動機端末２の電話番号の前に「１８４」を付加する操作等）である。
【００１４】
交換機３は、発信側の移動機端末１から通常発信信号を受信した場合は、着信側の移動機端末２に通常着信信号を送出し、移動機端末１からマナーモード用発信信号を受信した場合は、移動機端末２にマナーモード用着信信号を送出する機能を備える。
【００１５】
着信側の移動機端末２は、交換機３から通常着信信号を受信した場合は通常に着信を行うが、交換機３からマナーモード用着信信号を受信した場合は、マナーモードにて着信を行う機能を備える。
【００１６】
以下、図１に示した移動通信ネットワークシステムの動作について、図２を参照して説明する。
【００１７】
（ステップ１）
まず、発信者は、移動機端末１上で操作を行うことにより、移動機端末２に向けてマナーモード用発信信号を送出する。このマナーモード用発信信号は、交換ネットワーク４を通じて交換機３に送出される。
【００１８】
（ステップ２）
交換機３は、移動機端末１からマナーモード用発信信号を受信すると、移動機端末２に対して、マナーモード用着信信号を送出する。
【００１９】
（ステップ３）
その後、移動機端末２は、交換機３からのマナーモード用着信信号を受信すると、マナーモードでの着信動作を行う。
【００２０】
なお、本実施形態においては、発信側の端末が移動機端末であるものとして説明したが、本発明はこれに限定されず、図３に示すように、発信側の端末を固定電話５としても良い。
【００２１】
【発明の効果】
以上説明したように本発明においては、通常発信信号とは異なるマナーモード用発信信号を送出する機能を備える発信側移動機端末と、発信側移動機端末からマナーモード用発信信号を受信した場合はマナーモード用着信信号を送出する機能を備える交換機と、交換機からマナーモード用着信信号を受信した場合はマナーモードにて着信を行う機能を備える着信側移動機端末とを設けている。
【００２２】
そのため、発信側移動機端末を使用する発信者は、着信者が映画館やコンサート会場など着信音を鳴動させたくない場所にいることがわかっている場合に、着信側移動機端末がマナーモードに設定されていなくても、マナーモードにて着信させることができる。
【図面の簡単な説明】
【図１】本発明の一実施形態による移動通信ネットワークシステムを示す図である。
【図２】図１に示した移動通信ネットワークシステムの動作を説明する図である。
【図３】本発明の他の実施形態による移動通信ネットワークシステムを示す図である。
【符号の説明】
１    移動機端末（発信側）
２    移動機端末（着信側）
３    交換機
４    交換ネットワーク
５    固定電話（発信側）
【図１】
2004357009.tif 000003
【図２】
2004357009.tif 000004
【図３】
2004357009.tif 000005